(57)【要約】      （修正有）【課題】メタルモールまたはレースウェイに必要とされる径の２種類の孔を空けることができ、しかも２つの孔を同時に空けることを可能とする電気線ぴ工事用ドリルを提供する。【解決手段】第１の孔を穿設可能な第１の外径Φ１を有する第１のドリル部４０に後続して、第１のドリル部と同心に第２のドリル部４２が配置されている。第２のドリル部は、第１の孔よりも大きい外径の第２の孔を穿設可能な第２の外径Φ４を有している。第１のドリル部の長さＬは、メタルモールまたはレースウェイの側壁間の距離である。【選択図】図１
0003224693.tif 000002
【実用新案登録請求の範囲】
【請求項１】
第１の孔を穿設可能な第１の外径を有する第１のドリル部と、
第１のドリル部に後続して、第１のドリル部と同心に配置され、第１の孔よりも大きい第２の外径の第２の孔を穿設可能な第２の外径を有する第２のドリル部とを、
有し、第１のドリル部の長さが、予め定めた長さである
電気線ぴ工事用ドリル。
【請求項２】
請求項１記載の電気線ぴ工事用ドリルにおいて、第１のドリル部の長さが、樋型に形成されたメタルモールまたはレースウェイの両側壁間の距離にほぼ等しい電気線ぴ工事用ドリル。
【請求項３】
請求項１または２記載の電気線ぴ工事用ドリルにおいて、第１のドリル部の末端と第２のドリル部の先端との間に、第１及び第２ドリル部よりも短い長さで、第１のドリル部の外径よりも大きく、第２のドリル部の外径よりも小さく、それぞれ異なる外径を有する複数の第３ドリル部が、第１のドリル部側から第２のドリル部側に外径の小さいものから形成されている電気線ぴ工事用ドリル。
【請求項４】
請求項３記載の電気線ぴ工事用ドリルにおいて、第１のドリル部は、先端から後端側に中心軸の周りを回りながら進むランドと、このランドに隣接して先端から後端側に向かう溝とを、有し、これらランドと溝との後端部の径が拡大され、前記ランド部に前記複数の第３ドリル部の切刃が形成されている電気線ぴ工事用ドリル。
【考案の詳細な説明】
【技術分野】
【０００１】
本考案は、電気線ぴ工事で使用するレースウェイやメタルモールに穿孔するために使用するドリルに関する。
【背景技術】
【０００２】
電気線ぴ工事とは、金属製の線ぴ（樋）を使う工事で、その金属製の線ぴの中に電線を通して配線する工事である。線ぴとして、図３（ａ）乃至（ｄ）に示すような金属製のレースウェイやメタルモール２が使用されている。これらレースウェイやメタルモール２は、細長い長方形状の底壁４の両側縁に沿って、底壁４に対して直角に同一方向に突出した長方形状の側壁６、８を有するもので、側壁６、８間の距離が４ｃｍ未満のものをメタルモールと称し、４ｃｍ以上５ｃｍ以下のものをレースウェイと称する。
【０００３】
レースウェイやメタルモール２には、様々な使用法がある。例えば図３（ａ）に示すように、側壁６側を図示していない壁面に接触させてビス１０によってレースウェイやメタルモール２を壁面に取り付ける場合がある。また、同図（ｂ）に示すように側壁６、８間を貫通した吊り下げボルト１２をナット１４に螺合させることによってレースウェイやメタルモール２を吊り下げる場合もある、さらに、同図（ｃ）に示すように底壁４を図示していない壁面に接触させて、ビス１６によって壁面に底壁４を接触させてレースウェイやメタルモール２を固定する場合もある。図示していない壁面から突出するアンカーボルト１８を底壁４を貫通させてアンカーボルト１８にナット２０を螺合させて、レースウェイやメタルモール２を壁面に固定する場合もある。
【０００４】
図３（ａ）の場合、壁面に接触する側壁６にビス１０に対応する大きさの孔２２を穿設した上に、対向する側壁８にビス１０を通すと共に、このビスを孔２２を介して壁面にねじ込む電気ドリルのような電気工具を通すための孔２４を、孔２２と対応する位置に形成しなければならない。孔２４は孔２２よりも大径である。また、図３（ｂ）の場合、側壁６、８に吊り下げボルト１２を挿通可能な大きさで互いに同じ大きさの孔２６、２８を側壁６、８の互いに対応する位置に形成しなければならない。同図（ｃ）の場合、底壁４にボルト１６に対応する孔３０を形成しなければならず、同図（ｄ）の場合も、底壁４にアンカーボルト１８に対応する孔３２を形成しなければならない。通常、孔２２、３０は同じ大きさ、例えば直径６ｍｍで、孔２４、２６、２８、３２は、孔２２、３０よりも大きくて、同じ大きさ、例えば直径１２ｍｍである。
【０００５】
このように同じレースウェイやメタルモール２に対して２つの異なる径の孔を空ける場合があり、これら異なる径に対応したドリルをそれぞれ準備するのは面倒であり、１つのドリルで異なる径の孔を空けることが望まれる。異なる径の孔を空けることができるドリルとして、例えば特許文献１に開示されているようなステップドリルがある。このステップドリルは、シャンクに結合されたボデーに切屑を排出するための複数の溝が、ステップドリルの長さ方向に間隔をおいて形成され、これら溝により分割された複数のランドが形成され、これらランドは、ステップドリルの先端側からシャンク側に向かうに従って外径が徐々に大きくなるように段差状に形成され、各ランドには切刃が形成されている。
【先行技術文献】
【特許文献】
【０００６】
【特許文献１】特開２００７−２０３３９６号
【考案の概要】
【考案が解決しようとする課題】
【０００７】
しかし、上記のステップドリルを使用して金属線ぴに孔を空けた場合、必要な径のランド部分の使用頻度が高く、その部分だけが切れなくなり、他の径の部分は使用可能であるのに新たなステップドリルに買い換える筆等がある。また、このステップドリルでは、図３（ａ）に示すように離れた側壁６、８に２つの孔２２、２４を同時に形成することができず、孔２２、２４を個別に空ける必要があり、作業性が悪かった。
【０００８】
本考案は、必要とされる径の２種類の孔のみを空けることができ、しかも必要とされる２つの孔を同時に空けることが可能な金属線ぴ用のドリルを提供することを目的とする。
【課題を解決するための手段】
【０００９】
本考案による金属線ぴ用ドリルは、第１の孔を穿設可能な第１の外径を有する第１のドリル部を有している。第１のドリル部に後続して、第１のドリル部と同心に第２のドリル部が配置されている。第２のドリル部は、第１の孔よりも大きい第２の孔を穿設可能な第２の外径を有している。第１のドリル部の長さは予め定めた長さである。
【００１０】
このように構成された金属線ぴ用ドリルでは、第１のドリル部を使用することによって、第１の孔を穿設することができ、第２のドリル部を使用することによって第１の孔よりも大きい第２の孔を穿設することができる。従って、異なる径の２種類の孔を穿設することが可能である。しかも、第１のドリル部の長さは予め定められているので、予め定めた長さだけ離れた位置にある２つの被切削部の一方に第１の孔を、他方に第２の孔を同時に穿設することができる。
【００１１】
第１のドリル部の長さを、樋型に形成されたメタルモールまたはレースウェイの両側壁間の距離にほぼ等しく形成すれば、メタルモールまたはレースウェイの２つの側壁の一方に第１の径の孔を、他方に第２の径の孔をに同時に空けることができる。
【００１２】
また、第１のドリル部の末端と第２のドリル部の先端との間に、第３のドリル部を形成することもできる。この場合、第３のドリル部は、第１及び第２ドリル部よりも短い長さで、第１ドリル部の外径よりも大きく、第２のドリル部の外径よりも小さく、それぞれ異なる外径を有し、第１のドリル部側から第２のドリル部側に外径の小さいものから形成されている。
【００１３】
第３のドリル部を使用することによって、第１の径と第２の径との間の大きさの孔のバリ取りや面取りを行うこともできるし、第２の孔を空ける際に、第１の径の孔を空けた後、その孔を第３の径の孔に拡張し、最後に第２の径を持つ第２の孔に拡張することができ、円滑に第２の孔を空けることができる。特に、第２の径が第１の径の２倍以上の場合には、第３のドリル部をを設けた意義が大きい。
【００１４】
さらに、第１のドリル部は、先端から後端側に中心軸の周りを回りながら進むランドと、このランドに隣接して先端から後端側に向かう溝とを有するものとすることができる。この場合、これらランドと溝との後端部の径が拡大され、前記ランド部に前記複数の第３ドリル部の切刃が形成されている。このように構成すると、第１及び第２のドリル部を円滑に接続することができるし、第３のランド部を使用して、面取りやバリ取りが可能になる。
【考案の効果】
【００１５】
以上のように、本考案による金属線ぴ用ドリルでは、必要とされる大きさの孔のみを空けることができるので、他の部分が使用可能であるのに買い換えるというような無駄が生じない。しかも必要とされる２つの孔を異なる被切削部に同時に空けることが可能で、作業性が向上する。
【図面の簡単な説明】
【００１６】
【図１】本考案の１実施形態の金属線ぴ用ドリルの側面図である。
【図２】図１の金属線ぴ用ドリルの斜視図である。
【図３】金属線ぴにそれぞれ形成される孔の斜視図である。
【考案を実施するための形態】
【００１７】
本考案の１実施形態の金属線ぴ用ドリルは、図１及び図２に示すように、第１ドリル部４０、第２ドリル部４２、第３ドリル部４４及びステム部４６とを有している。
【００１８】
第１のドリル部４０は、この金属線ぴ用ドリルの前部に位置するもので、概略円筒状に形成され、その先端に切刃４８を有し、この切刃４８に続いて、互いに隣接しているランド５０と溝５２とが、第１のドリル部４０の中心軸の周りを旋回しながら、後方に向かって形成されている。ランド５０の前側縁には刃が形成され、この切刃による切り屑が溝５２を介して後方に排出される。第１のドリル部４０は、その外径、即ち第１の外径Φ１は、例えば６ｍｍに形成されている。第１のドリル部４０の長さＬは、予め定めた定めた長さ、例えば図３に示すメタルモールまたはレースウェイ２の側壁６、８間の距離に対応する長さとされている。
【００１９】
第１のドリル部４０の後端部には、外径Φ１よりも大きい第３の外径Φ２、例えば８ｍｍの短円筒部５４がテーパ部５６を介して形成され、その後端には、外径Φ２よりも大きい第３の外径Φ３、例えば１０ｍｍの短円筒状部５８がテーパ部６０を介して形成されている。これらテーパ部５６、短円筒状部５４、テーパ部６０及び短円筒状部５８は、第１のドリル部４０と同心に形成されている。テーパ部５６、短円筒状部５４、テーパ部６０及び短円筒状部５８には、第１のドリル部４０のランド５０と連なり外径が８ｍｍを経て１０ｍｍとなるランド６２と、溝５２に連なり、外径が同じく８ｍｍを経て１０ｍｍとなる溝６４とが、形成されている。そして、ランド６２の前側縁には刃が形成されている。このランド６２と溝６４とによって、第３のドリル部４４が形成されている。
【００２０】
第３のドリル部４４の短円筒状部５８には、第１の外径Φ１及び第３の外径Φ２、Φ３よりも大きい第２の外径Φ４、例えば１２ｍｍの円筒状部６６の端面が、テーパ部６８を介して形成されている。この短円筒状部６６も、第１のドリル部４０、テーパ部５６、短円筒状部５４、テーパ部６０及び短円筒状部５８と同心に形成されている。テーパ部６８及び円筒状部６６には、ランド６８に連なり外径が１０ｍｍを経て１２ｍｍとなるランド７０と、溝６４に連なり外径が１０ｍｍを経て１２ｍｍとなる溝７２とが形成されている。ランド７０の前側縁には刃が形成されている。これらランド７０及び溝７２によって第２のドリル部４２が形成されている。第１のドリル部４０の先端から第２のドリル部４２の端面までの距離Ｌは、３５ｍｍである。
【００２１】
第３のドリル部４４の後端部に、公知の形状のステム部４６が、第１のドリル部４０、第１のドリル部４０、テーパ部５６、短円筒状部５４、テーパ部６０及び短円筒状部５８、円筒状部６６と同心に形成されている。
【００２２】
このように構成された金属線ぴ用ドリルは、ステム部４６を電気ドリルのチャック部に取り付けて使用する。例えば図３（ａ）に示すようなメタルモールまたはレースウェイ２の側壁６にビス１０に対応する大きさの孔２２を、側壁８に電気ドリルのような電気工具を通すための孔２４を同時に穿設する場合、側壁８の外面側に、この金属線ぴ用ドリルの先端を当てて穿設を開始する。まず側壁８側に第１のドリル部４０によって孔２２に対応する大きさの孔が形成され、そのままドリルを側壁６側に進めると、側壁６側に第１のドリル部４０によって孔２２が形成され、側壁８側に先に形成された孔は、第３のドリル部４４及び第２のドリル部４２によって孔２２に拡張される。このようにして、同時に、側壁６、８に同心に直径の異なる孔２０、２２を形成することができる。なお、第１のドリル部４０と第２のドリル部４２との間に第３のドリル部４４が形成されているので、側壁８側に先に形成された孔は円滑に拡張されて孔３４となる。また、孔２２の周りのバリ取りや面取りを第３のドリル部４４によって行うことができる。
【００２３】
また、図３（ｂ）に示すようにメタルモールまたはレースウェイ２の側壁６、８に吊りボルト１２用の直径１２ｍｍの孔２６、２８を同時に空ける場合、この金属線ぴ用ドリルの先端を側壁６または８の外面側に当てて、その側壁、例えば側壁８側に第１のドリル部によって小径の孔を空け、そのままドリルを進行させることによって、この小径の孔が第３のドリル部４４及び第２のドリル部によって拡張されて、孔２８が形成される。同時に第１のドリル部４０は側壁６の内面側に到達して、ドリルの進行によって側壁６側に小径の孔が形成される。さらに、ドリルを進行させると、孔２８から離れた第３のドリル部４４及び第２のドリル部４０が、この小径の孔に到達し、これを拡張して、孔２６が形成される。この際、孔２８の部分に第３のドリル部４２の円筒状部６６の刃の形成されていない後方部分が挿通されており、この挿通された部分がドリルの位置決めとして機能する。
【００２４】
図３（ｃ）に示すように、メタルモールまたはレースウェイ２の底壁４にビス用の直径６ｍｍの小径の孔３０を穿設する場合には、このドリルの先端を底壁４の一方の面に当て、第１のドリル部４０のみで孔を形成する。
【００２５】
図３（ｄ）に示すように、メタルモールまたはレースウェイ２の底壁４にアンカーボルト１８用の大径の孔３６を形成する場合には、このドリルの先端を底壁４に当てて進行させて、第１のドリル部４０によって直径６ｍｍの孔を空け、さらにドリルを進行させて、第３のドリル部４４及び第２のドリル部４２によって、直径６ｍｍの孔を拡張して直径１２ｍｍの孔３２とする。
【００２６】
このように、この金属線ぴ用ドリル１本で、図３（ａ）乃至（ｄ）に示すように、異なる径の孔をメタルモールまたはレースウェイの側壁に同心に形成したり、両側壁に同じ径の孔を形成したり、大きさの異なる径の孔を底壁にそれぞれ形成したりすることができる。
【００２７】
上記の実施形態では、第２のドリル部の外径Φ４は、第１のドリル部４０の外径Φ１の２倍としたが、２倍以上とすることもできる。また、第３のドリル部４４は、Φ２の外径の部分とΦ３の外径の部分の２段としたが、１段または３段以上とすることもできる。特に、第２のドリル部４２の外径Φ２が第１のドリル部４０の外径Φ１の２倍よりも大きい場合には、第３のドリル部４４の数を３以上に増加させて、第３のドリル部４４の各外径を第１のドリル部４０の外径から第２のドリル部４２の外径に、第１のドリル部４０側の第３のドリル部４４から徐々に近づけるようにすることが望ましい。また、第２のドリル部４２は、円筒状部６６の前側のみにランド７０と溝７２とを設けたが、さらに後方までランド７０と溝７２とを延長することもできる。
【符号の説明】
【００２８】
４０  第１のドリル部
４２  第２のドリル部
４４  第３のドリル部
【図１】
0003224693.tif 000003
【図２】
0003224693.tif 000004
【図３】
0003224693.tif 000005
【手続補正書】
【提出日】令和1年11月5日(2019.11.5)
【手続補正１】
【補正対象書類名】実用新案登録請求の範囲
【補正対象項目名】請求項４
【補正方法】変更
【補正の内容】
【請求項４】
請求項３記載の電気線ぴ工事用ドリルにおいて、第１のドリル部は、先端から後端側に中心軸の周りを回りながら進むランドと、このランドに隣接して先端から後端側に向かう溝とを、有し、これらランドと溝との後端部の径が拡大され、前記ランドに前記複数の第３ドリル部の切刃が形成されている電気線ぴ工事用ドリル。